(57)【特許請求の範囲】
【請求項１】
本体ケースとその後面開口部を覆うカバーによって形成された空間内に、ダイヤルノブと共に回転するロータと、該ロータの回転を検出する検出器と該検出器からの検出信号によって各種機器に対して制御信号を出力する制御回路が実装された基板と、前記ダイヤルノブの回転にクリック感を付与するクリック機構を収容して成るロータリスイッチにおいて、
前記本体ケースと前記カバーで形成された空間は、前記本体ケースの前面と前記基板との間の第１空間と、前記基板と前記カバーとの間の第２空間を有し、
前記検出器および前記制御回路は、前記基板の前面側に実装された状態で前記第１空間に配置され、
前記クリック機構は、前記基板を貫通して前記第２空間の前記カバー側へと延ばした前記ロータの延長端近傍に配置したことを特徴とするロータリスイッチ。
【請求項２】
前記クリック機構は、前記ロータの端部に周方向に複数形成された係合凹部と、前記カバーに摺動可能に保持されて前記係合凹部に選択的に係合するクリック部材と、該クリック部材を前記係合凹部側に付勢する付勢部材によって構成されることを特徴とする請求項１記載のロータリスイッチ。
【発明の詳細な説明】
【技術分野】
【０００１】
本発明は、ダイヤルノブの回転にクリック感（節度感）を付与するためのクリック機構を備えたロータリスイッチに関するものである。
【背景技術】
【０００２】
ロータリスイッチは、各種機器の制御、例えば車載のエアコンの温度調整等に用いられるが、これにはダイヤルノブの回転にクリック感を付与するためのクリック機構が設けられている（例えば、特許文献１参照）。ここで、従来のロータリスイッチの一例を図２に示す。
【０００３】
即ち、図２は従来のロータリスイッチの破断面図であり、図示のロータリスイッチ１０１は、本体ケース１０２とその後面開口部を覆うカバー１０３によって形成された空間内に、ダイヤルノブ１０４と共に回転する円筒状のロータ１０５と、該ロータ１０５の内部に固設された円筒状のダイヤルベース１０６に複数のネジ１０７によって取り付けられた基板１０８と、ダイヤルノブ１０４の回転にクリック感を付与するクリック機構１０９等を収容して構成されている。尚、図示しないが、基板１０８には、ロータ１０５の回転を検出するフォトインタラプタ等の検出器と、該検出器からの検出信号によって各種機器に対して制御信号を出力する制御回路等が実装されている。又、クリック機構１０９は、ロータ１０５の端部に周方向に複数形成された係合凹部１０５ａと、カバー１０３に横方向（図２の左右方向）に摺動可能に保持されてロータ１０５の前記係合凹部１０５ａに選択的に係合するクリック部材１１０と、該クリック部材１１０をロータ１０５の係合凹部１０５ａ側（図２の左方）に付勢する付勢部材としてのスプリング１１１によって構成されている。
【０００４】
斯かるロータリスイッチ１０１において、操作者がダイヤルノブ１０４を回転操作すると、このダイヤルノブ１０４と共にロータ１０５が回転し、このロータ１０５の回転方向と回転量が基板１０８に実装された不図示の検出器によって検出され、その検出信号が基板１０８に実装された不図示の制御回路に送信されてエアコン等の各種機器が制御される。そして、ダイヤルノブ１０４と共にロータ１０５が回転すると、該ロータ１０５の外周に周方向に複数形成された係合凹部１０５ａに、スプリング１１１によって付勢されたクリック部材１１０が選択的に係合するため、ダイヤルノブ１０４の回転にクリック感が付与される。
【先行技術文献】
【特許文献】
【０００５】
【特許文献１】特開２０１０−２１２１０２号公報
【発明の概要】
【発明が解決しようとする課題】
【０００６】
ところで、図２に示す従来のロータリスイッチ１０１の組み立てにおいては、基板１０８を固定する前にロータ１０５が図２の下方から組み込まれ、その後に基板１０８が複数のネジ１０７によってダイヤルベース１０６に取り付けられる。この場合、ロータ１０５の係合凹部１０５ａには潤滑剤であるグリスが塗布されているため、ロータ１０５を組み込む際にグリスが周囲の部品に付着し、この付着したグリスがやがて基板１０８にも付着して当該ロータリスイッチ１０１の誤作動を招くという問題が発生する。
【０００７】
本発明は上記問題に鑑みてなされてもので、その目的とする処は、クリック機構に塗布されたグリスの基板への付着による誤作動を防ぐことができるロータリスイッチを提供することにある。
【課題を解決するための手段】
【０００８】
上記目的を達成するため、請求項１に記載の発明は、本体ケースとその後面開口部を覆うカバーによって形成された空間内に、ダイヤルノブと共に回転するロータと、該ロータの回転を検出する検出器と該検出器からの検出信号によって各種機器に対して制御信号を出力する制御回路が実装された基板と、前記ダイヤルノブの回転にクリック感を付与するクリック機構を収容して成るロータリスイッチにおいて、前記本体ケースと前記カバーで形成された空間は、前記本体ケースの前面と前記基板との間の第１空間と、前記基板と前記カバーとの間の第２空間を有し、前記検出器および前記制御回路は、前記基板の前面側に実装された状態で前記第１空間に配置され、前記クリック機構は、前記基板を貫通して前記第２空間の前記カバー側へと延ばした前記ロータの延長端近傍に配置したことを特徴とする。
【０００９】
請求項２記載の発明は、請求項１記載の発明において、前記クリック機構は、前記ロータの端部に周方向に複数形成された係合凹部と、前記カバーに摺動可能に保持されて前記係合凹部に選択的に係合するクリック部材と、該クリック部材を前記係合凹部側に付勢する付勢部材によって構成されることを特徴とする。
【発明の効果】
【００１０】
本発明によれば、ロータを、基板を貫通してカバー側へと延ばし、その延長端近傍にクリック機構を配置したため、クリック機構の摺動部（ロータの係合凹部とクリック部材との係合部）に塗布したグリスは、カバーには付着するが、基板周辺の部品や基板には付着しないため、基板に実装された検出器や制御回路等の各種電子部品にグリスが付着することによる当該ロータリスイッチの誤作動が確実に防がれる。
【００１１】
又、クリック機構を基板の周辺からカバー側に移動させて分散配置したため、基板の実装面積が増加し、該基板上に各種電子部品を合理的に配置することができる。
【図面の簡単な説明】
【００１２】
【図１】本発明に係るロータリスイッチの破断面図である。
【図２】従来のロータリスイッチの破断面図である。
【発明を実施するための形態】
【００１３】
以下に本発明の実施の形態を添付図面に基づいて説明する。
【００１４】
図１は本発明に係るロータリスイッチの破断面図であり、図示のロータリスイッチは、車載のエアコンの温度調整を行うためのものであって、実際には、該ロータリスイッチは、図１の上側が前方、下側が後方となるように横向きに設置される。
【００１５】
而して、図示のロータリスイッチ１は、本体ケース２とその後面開口部を覆うカバー３によって形成された空間内に、ダイヤルノブ４と共に回転する円筒状のロータ５と、該ロータ５の内部に固設された円筒状のダイヤルベース６に複数のネジ７によって取り付けられた基板８等を収容して構成されている。尚、図示しないが、基板８には、ロータ５の回転を検出するフォトインタラプタ等の検出器と、該検出器からの検出信号によってエアコンに対して制御信号を出力する制御回路等が実装されている。
【００１６】
而して、本実施の形態においては、前記基板８には円孔８ａが形成されており、前記ロータ５は、基板８の円孔８ａを貫通してカバー３側（図１の下側）へと延びており、その延長端（図２の下端）の近傍にクリック機構９が配置されている。ここで、クリック機構９は、ダイヤルノブ４の回転にクリック（節度感）を付与するためのものであって、ロータ５の延長端に一体に形成されたフランジ部５Ａの外周に周方向に複数形成された係合凹部５ａと、カバー３に一体に形成された袋状の収納ケース３Ａ内に横方向（図１の左右方向）に摺動可能に収容されてその先端部がロータ５の前記係合凹部５ａに選択的に係合するクリック部材１０と、該クリック部材１０をロータ５の係合凹部５ａ側（図１の左方）に付勢する付勢部材であるスプリング１１によって構成されている。
【００１７】
以上のように構成されたロータリスイッチ１において、操作者がダイヤルノブ４を回転操作すると、このダイヤルノブ４と共にロータ５が回転し、このロータ５の回転方向と回転量が基板８に実装された不図示の検出器によって検出され、その検出信号が基板８に実装された制御回路に送信されてエアコンが制御され、車室内の温度調整がなされる。そして、ダイヤルノブ４と共にロータ５が回転すると、該ロータ５のフランジ部５Ａの外周に周方向に複数形成された係合凹部５ａに、スプリング１１によって付勢されたクリック部材１０が選択的に係合するため、ダイヤルノブ４の回転にクリック感が付与される。
【００１８】
而して、本実施の形態に係るロータリスイッチ１においては、ロータ５を、基板８を貫通してカバー３側へと延ばし、その延長端近傍にクリック機構９を配置したため、クリック機構９の摺動部（ロータ５の係合凹部５ａとクリック部材１０との係合部）に塗布したグリスは、カバー３には付着するが、基板３の周辺に配置された部品や基板８には付着しない。このため、基板８に実装された検出器や制御回路等の電子部品にグリスが付着することがなく、グリスの付着による当該ロータリスイッチ１の誤作動が確実に防がれる。
【００１９】
又、クリック機構９を基板８の周辺からカバー３側に移動させて分散配置したため、基板８の実装面積が増加し、該基板８上に各種電子部品を合理的に配置することができるという効果も得られる。
【００２０】
尚、以上は本発明をエアコンの温度調整を行うためのロータリスイッチに対して適用した形態について説明したが、本発明は、他の任意の用途に供されるロータリスイッチに対しても同様に適用可能であることは勿論である。
【符号の説明】
【００２１】
１      ロータリスイッチ
２      本体ケース
３      カバー
３Ａ    カバーの収納ケース
４      ダイヤルノブ
５      ロータ
５Ａ    ロータのフランジ部
５ａ    ロータの係合凹部
６      ダイヤルベース
７      ネジ
８      基板
８ａ    基板の円孔
９      クリック機構
１０    クリック部材
１１    スプリング（付勢部材）
【図１】
0006696759.tif 000002
【図２】
0006696759.tif 000003